【手続補正書】
【提出日】平成31年2月21日(2019.2.21)
【手続補正１】
【補正対象書類名】明細書
【補正対象項目名】０００８
【補正方法】変更
【補正の内容】
【０００８】
本発明は、複数のデバイスを接続可能な情報処理装置であって、ウェブ会議で利用するデバイスを選択するためのデバイス設定画面に表示するデバイスの表示順を設定した表示順情報記憶手段と、当該情報処理装置に利用可能に接続されたデバイスを取得する接続デバイス取得手段と、前記接続デバイス取得手段によって取得した当該デバイスを、前記表示順情報記憶手段に設定されたデバイスの表示順で前記デバイス設定画面に選択可能に表示するよう制御するデバイス設定画面表示制御手段と、を備え、前記デバイス設定画面表示制御手段は、入室中の状態で前記デバイス設定画面を表示する場合には、当該ウェブ会議で利用されているデバイスを他のデバイスよりも上位に表示するよう制御することを特徴とする。
また、本発明は、複数のデバイスを接続可能な情報処理装置とサーバ装置が通信可能に接続された情報処理システムであって、ウェブ会議で利用するデバイスを選択するためのデバイス設定画面に表示するデバイスの表示順を設定した表示順情報記憶手段と、当該情報処理装置に利用可能に接続されたデバイスを取得する接続デバイス取得手段と、前記接続デバイス取得手段によって取得した当該デバイスを、前記表示順情報記憶手段に設定されたデバイスの表示順で前記デバイス設定画面に選択可能に表示するよう制御するデバイス設定画面表示制御手段と、を有し、前記デバイス設定画面表示制御手段は、入室中の状態で前記デバイス設定画面を表示する場合には、当該ウェブ会議で利用されているデバイスを他のデバイスよりも上位に表示するよう制御することを特徴とする。
また、本発明は、複数のデバイスを接続可能で、ウェブ会議で利用するデバイスを選択するためのデバイス設定画面に表示するデバイスの表示順を設定した表示順情報記憶手段を有する情報処理装置の制御方法であって、当該情報処理装置に利用可能に接続されたデバイスを取得する接続デバイス取得ステップと、前記接続デバイス取得ステップによって取得した当該デバイスを、前記表示順情報記憶手段に設定されたデバイスの表示順で前記デバイス設定画面に選択可能に表示するよう制御するデバイス設定画面表示制御ステップと、を有し、前記デバイス設定画面表示制御ステップは、入室中の状態で前記デバイス設定画面を表示する場合には、当該ウェブ会議で利用されているデバイスを他のデバイスよりも上位に表示するよう制御することを特徴とする。
また、本発明は、複数のデバイスを接続可能で、ウェブ会議で利用するデバイスを選択するためのデバイス設定画面に表示するデバイスの表示順を設定した表示順情報記憶手段を有する情報処理装置とサーバ装置が通信可能に接続された情報処理システムの制御方法であって、当該情報処理装置に利用可能に接続されたデバイスを取得する接続デバイス取得ステップと、前記接続デバイス取得ステップによって取得した当該デバイスを、前記表示順情報記憶手段に記憶されたデバイスの表示順で前記デバイス設定画面に選択可能に表示するよう制御するデバイス設定画面表示制御ステップと、を有し、前記デバイス設定画面表示制御ステップは、入室中の状態で前記デバイス設定画面を表示する場合には、当該ウェブ会議で利用されているデバイスを他のデバイスよりも上位に表示するよう制御することを特徴とする。
また、本発明は、プログラムであって、コンピュータを、上記に記載の情報処理装置として機能させることを特徴とする。
【手続補正２】
【補正対象書類名】特許請求の範囲
【補正対象項目名】全文
【補正方法】変更
【補正の内容】
【特許請求の範囲】
【請求項１】
複数のデバイスを接続可能な情報処理装置であって、
ウェブ会議で利用するデバイスを選択するデバイス設定画面に表示するためのデバイスの表示順を設定した表示順情報記憶手段と、
当該情報処理装置に利用可能に接続されたデバイスを取得する接続デバイス取得手段と、
前記接続デバイス取得手段によって取得した当該デバイスを、前記表示順情報記憶手段に設定されたデバイスの表示順で前記デバイス設定画面に選択可能に表示するよう制御するデバイス設定画面表示制御手段と、
を備え、
前記デバイス設定画面表示制御手段は、入室中の状態で前記デバイス設定画面を表示する場合には、当該ウェブ会議で利用されているデバイスを他のデバイスよりも上位に表示するよう制御することを特徴とする情報処理装置。
【請求項２】
前記デバイス設定画面表示制御手段は、前記ウェブ会議への入室にともない前記デバイス設定画面を表示する場合には、前記表示順情報記憶手段に設定されたデバイスの表示順で前記接続デバイス取得手段によって取得したデバイスを表示するよう制御し、一方、入室中の状態で前記デバイス設定画面を表示する場合には、当該ウェブ会議で利用されているデバイスを最上位に表示するよう制御することを特徴とする請求項１に記載の情報処理装置。
【請求項３】
前記表示順情報記憶手段は、前記デバイスの種類に応じた表示順が設定されており、
前記デバイス設定画面表示制御手段は、前記接続されたデバイスの種類に応じた表示順で表示するよう制御することを特徴とする請求項１または２に記載の情報処理装置。
【請求項４】
前記デバイスは、オンボードデバイスと非オンボードデバイスに分類され、
前記表示順情報記憶手段には、デバイスの種類に応じて、オンボードデバイスに対して、優先して表示するか否かの設定がなされており、
前記デバイス設定画面表示制御手段は、前記デバイスの種類が、オンボードデバイスに対して優先して表示するように分類されている場合は、前記オンボードデバイスより優先して表示するよう制御し、一方、オンボードデバイスに対して非優先して表示するように分類されている場合には、前記オンボードデバイスより優先順を下げて表示するよう制御することを特徴とする請求項１乃至３のいずれか１項に記載の情報処理装置。
【請求項５】
前記表示順情報記憶手段に記憶された表示順に関わらず優先して表示されるデバイスを指定する優先デバイス設定情報を記憶する優先デバイス設定記憶手段を更に有し、
前記接続されたデバイスが、前記優先デバイス設定情報に優先デバイスとして設定されている場合には、前記デバイス設定画面表示制御手段は、当該優先デバイスを最上位に表示、または、当該優先デバイス以外のデバイスが表示されないよう制御することを特徴とする請求項１乃至４のいずれか１項に記載の情報処理装置。
【請求項６】
前記デバイスは、オーディオデバイスおよび／またはビデオデバイスであることを特徴とする請求項１乃至５のいずれか１項に記載の情報処理装置。
【請求項７】
複数のデバイスを接続可能な情報処理装置とサーバ装置が通信可能に接続された情報処理システムであって、
ウェブ会議で利用するデバイスを選択するためのデバイス設定画面に表示するデバイスの表示順を設定した表示順情報記憶手段と、
当該情報処理装置に利用可能に接続されたデバイスを取得する接続デバイス取得手段と、
前記接続デバイス取得手段によって取得した当該デバイスを、前記表示順情報記憶手段に設定されたデバイスの表示順で前記デバイス設定画面に選択可能に表示するよう制御するデバイス設定画面表示制御手段と、
を有し、
前記デバイス設定画面表示制御手段は、入室中の状態で前記デバイス設定画面を表示する場合には、当該ウェブ会議で利用されているデバイスを他のデバイスよりも上位に表示するよう制御することを特徴とする情報処理システム。
【請求項８】
複数のデバイスを接続可能で、ウェブ会議で利用するデバイスを選択するためのデバイス設定画面に表示するデバイスの表示順を設定した表示順情報記憶手段を有する情報処理装置の制御方法であって、
当該情報処理装置に利用可能に接続されたデバイスを取得する接続デバイス取得ステップと、
前記接続デバイス取得ステップによって取得した当該デバイスを、前記表示順情報記憶手段に設定されたデバイスの表示順で前記デバイス設定画面に選択可能に表示するよう制御するデバイス設定画面表示制御ステップと、を有し、
前記デバイス設定画面表示制御ステップは、入室中の状態で前記デバイス設定画面を表示する場合には、当該ウェブ会議で利用されているデバイスを他のデバイスよりも上位に表示するよう制御することを特徴とする情報処理装置の制御方法。
【請求項９】
複数のデバイスを接続可能で、ウェブ会議で利用するデバイスを選択するためのデバイス設定画面に表示するデバイスの表示順を設定した表示順情報記憶手段を有する情報処理装置とサーバ装置が通信可能に接続された情報処理システムの制御方法であって、
当該情報処理装置に利用可能に接続されたデバイスを取得する接続デバイス取得ステップと、
前記接続デバイス取得ステップによって取得した当該デバイスを、前記表示順情報記憶手段に記憶されたデバイスの表示順で前記デバイス設定画面に選択可能に表示するよう制御するデバイス設定画面表示制御ステップと、
を有し、
前記デバイス設定画面表示制御ステップは、入室中の状態で前記デバイス設定画面を表示する場合には、当該ウェブ会議で利用されているデバイスを他のデバイスよりも上位に表示するよう制御することを特徴とする情報処理システムの制御方法。
【請求項１０】
コンピュータを、請求項１乃至６の何れか１項に記載の情報処理装置として機能させるためのプログラム。